(57)【特許請求の範囲】
【請求項１】
枠組足場の隣り合う建枠の対向する脚柱間に設置される安全手摺に、足場板の桁側端部に沿うように取り付けられる幅木であって、面板状の幅木本体を有し、この幅木本体の上辺側両端部に夫々幅木取付金具を枢着し、両幅木取付金具には、これらの幅木取付金具を安全手摺の左右縦枠に固定する固定手段を設け、各幅木取付金具と幅木本体との間には、幅木本体の下端縁部が足場板の桁側端部上面に載置するように幅木本体を所要の角度姿勢に保持する角度姿勢保持手段を介設してなる足場板用幅木であって、
前記角度姿勢保持手段は、幅木本体の上辺側にその長手方向スライド可能に支持されたロッドと、前記両幅木取付金具の夫々近傍に位置するロッドの両端部に夫々Ｌ字形に突設された両側一対の係止ピンと、両係止ピンと対向する前記両幅木取付金具に設けられた夫々複数の角度変更用ピン孔と、各係止ピンの先端部が各幅木取付金具のピン孔に突入するようにロッドを一方向に付勢するロッド付勢用バネとからなる足場板用幅木。
【請求項２】
前記固定手段は、一方の幅木取付金具に設けられていて、安全手摺の左右縦枠の一方の縦枠に嵌合される嵌合部材と、他方の幅木取付金具に設けられていて、他方の縦枠を掴持するクランプとからなり、クランプは、前記他方の縦枠の周面部を受ける受け金具と、受け金具に一端部が枢着されたロックレバーと、ロックレバーの長手方向中間部に基端部が枢着されていて、受け金具で受けられる前記周面部と反対側の周面部に係嵌される板バネからなる係止フックとから構成され、ロックレバーを一方向に回動して係止フックを前記縦枠に係嵌させた後、ロックレバーを他方向に回動させることによって係止フックを係嵌状態にロックするようにしてなる請求項１に記載の足場板用幅木。
【発明の詳細な説明】
【技術分野】
【０００１】
本発明は、枠組足場における足場板の桁側端部に沿って配置される足場板用幅木に関するもので、特に、枠組足場を組み立てる際に、既設の下段側足場板から、新設した上段側足場板の先行手摺として、隣り合う建枠の対向する脚柱間に設置される安全手摺に取り付けて使用される足場板用幅木に関する。
【背景技術】
【０００２】
従来の足場板用幅木として特許公報等の公知文献を具体的に挙げることはできないが、従来、安全手摺に取り付けて使用されている幅木は、足場板上面に対する取付角度が常に垂直となるように安全手摺に取り付けられている。
【発明の開示】
【発明が解決しようとする課題】
【０００３】
上記のように、従来の幅木は、足場板上面に対する取付角度が常に垂直となるように安全手摺に取り付けられることから、使用される建枠のサイズにより足場板の幅が異なって足場板の桁側端部に夫々異なった隙間ができる場合に、その隙間をカバーするためには、板幅の異なる足場板でもその足場板の桁側端部上面に幅木を垂直に設置できるように複数種類の幅木取付装置が必要となり、それがために幅木のコストが高くついていた。
【０００４】
本発明は、上記の事情に鑑み、幅木の取付角度を可変とすることにより、建枠のサイズにより足場板の板幅が異なって足場板の桁側端部に異なった隙間ができる場合に、その隙間幅に応じて幅木の取付角度を変え、幅木の下端縁部は常に足場板の桁側端部上面に載置させるようにした幅木を提供することを目的としている。
【課題を解決するための手段】
【０００５】
上記課題を解決するための手段を、後述する実施形態の参照符号を付して説明すると、請求項１に係る発明は、枠組足場の隣り合う建枠１２の対向する脚柱９，９間に設置される安全手摺５に、足場板７の桁側端部に沿うように取り付けられる幅木１であって、面板状の幅木本体２を有し、この幅木本体２の上辺側両端部に夫々幅木取付金具３，４を枢着し、両幅木取付金具３，４には、これらの幅木取付金具３，４を安全手摺５の左右縦枠５ａ，５ｂに固定する固定手段６を設け、各幅木取付金具３，４と幅木本体２との間には、幅木本体２の下端縁部２ａが足場板７の桁側端部上面に載置するように幅木本体２を所要の角度姿勢に保持する角度姿勢保持手段８を介設してなる足場板用幅木であって、前記角度姿勢保持手段８は、幅木本体２の上辺側にその長手方向スライド可能に支持されたロッド２５と、前記両幅木取付金具３，４の夫々近傍に位置するロッド２５の両端部に夫々Ｌ字形に突設された両側一対の係止ピン２６，２７と、両係止ピン２６，２７と対向する前記両幅木取付金具３，４に設けられた夫々複数の角度変更用ピン孔ａ，ｂ，ｃと、各係止ピン２６，２７の先端部２６ｏ，２７ｏが各幅木取付金具３，４のピン孔ａ，ｂ，ｃに突入するようにロッド２５を一方向に付勢するロッド付勢用バネ２８とからなることを特徴とする。
【０００６】
請求項２は、請求項１に記載の足場板用幅木において、前記固定手段６は、一方の幅木取付金具３に設けられていて、安全手摺５の左右縦枠５ａ，５ｂの一方の縦枠５ａに嵌合される嵌合部材１８と、他方の幅木取付金具４に設けられていて、他方の縦枠５ｂを掴持するクランプ１９とからなり、クランプ１９は、前記他方の縦枠５ｂの周面部を受ける受け金具２０と、受け金具２０に一端部が枢着されたロックレバー２１と、ロックレバー２１の長手方向中間部に基端部が枢着されていて、受け金具２０で受けられる前記周面部と反対側の周面部に係嵌される板バネからなる係止フック２４とから構成され、ロックレバー２１を一方向に回動して係止フック２４を前記縦枠５ｂに係嵌させた後、ロックレバー２１を他方向に回動させることによって係止フック２４を係嵌状態にロックするようにしてなることを特徴とする。
【発明の効果】
【０００８】
上記解決手段による発明の効果を、後述する実施形態の参照符号を付して説明すると、請求項１に係る発明によれば、安全手摺５の左右縦枠５ａ，５ｂに対する幅木本体２の取付角度を可変としたから、建枠１２のサイズにより、建枠１２に架け渡される足場板７の板幅が異なって足場板７の桁側端部に異なった幅の隙間ができる場合に、その隙間幅に応じて幅木本体２の取付角度を変えることによって、幅木本体２の下端縁部２ａを常に足場板７の桁側端部上面に載置させることができ、それにより幅木１としての機能を有効に発揮させることができる。
又、本発明によれば、角度姿勢保持手段８は、幅木本体２の上辺側にスライド可能に支持されたロッド２５と、このロッド２５の両端部に夫々Ｌ字形に突設された両側一対の係止ピン２６，２７と、両係止ピン２６，２７と対向する両幅木取付金具３，４に設けられた夫々複数、例えば３つの角度変更用ピン孔ａ，ｂ，ｃと、各係止ピン２６，２７の先端部２６ｏ，２７ｏが各幅木取付金具３，４のピン孔ａ，ｂ，ｃに突入するようにロッド２５を一方向に付勢するバネ２８とからなるもので、構造が簡単で部品点数も少ないから、操作が簡単で、幅木本体２を所要角度に確実に保持できると共に、製作が容易となる。
【０００９】
請求項２に係る発明によれば、固定手段６は、一方の幅木取付金具３に設けてあって、左右縦枠５ａ，５ｂの一方の縦枠５ａに嵌合される嵌合部材１８と、他方の幅木取付金具４に設けられて、他方の縦枠５ｂを掴持するクランプ１９とからなり、クランプ１９は、他方の縦枠５ｂの周面部を受ける受け金具２０と、受け金具２０に一端部が枢着されたロックレバー２１と、ロックレバー２１の中間部に基端部が枢着されていて、受け金具２０で受けられる前記周面部と反対側の周面部に係嵌される板バネからなる係止フック２４とから構成され、ロックレバー２１を一方向に回動して係止フック２４を縦枠５ｂに係嵌させた後、ロックレバー２１を他方向に回動させることによって係止フック２４を係嵌状態にロックするようにしたから、幅木取付金具３，４を安全手摺５の左右縦枠５ａ，５ｂの所要高さ位置に簡単容易に固定することができる。
【発明を実施するための最良の形態】
【００１１】
以下に本発明の好適な一実施形態を図面に基づいて説明すると、図１の(a) は幅木全体の取付状態を示す正面図、(b) は側面図であり、図２は平面図である。図３は図１の(a) の要部拡大図、図４は図１の(b) の要部拡大図、図５は図２のの要部拡大図である。この発明に係る幅木１は、アルミ製の面板からなる幅木本体２を有し、この幅木本体２の上辺側両端部に夫々幅木取付金具３，４を枢着し、両幅木取付金具３，４には、これらの幅木取付金具３，４を安全手摺５の左右縦枠５ａ，５ｂの所要高さ位置に固定するための固定手段６を設け、各幅木取付金具３，４と幅木本体２との間には、幅木本体２の下端縁部２ａが足場板７の桁側端部上面に載置するように幅木本体２を所要の角度姿勢に保持するための角度姿勢保持手段８を介設してなるものである。
【００１２】
前記安全手摺５は、図１の仮想線で示すように、両側一対の脚柱９，９と両脚柱９，９の上端部どうしをつなぐ横架材１０と補強材１１，１１とからなる建枠１２（図８参照）を対向させて、両建枠１２，１２の横架材１０，１０に足場板７をフック７ａ，７ａにより架け渡しながら枠組足場を組み立てる際に、既設の下段側足場板７から、新設した上段側足場板７（図示せず）の先行手摺として、隣り合う建枠１２，１２の対向する脚柱９，９間に取付手段１５を介して設置されるもので、左右縦枠５ａ，５ｂと上下横枠５ｃ，５ｄと縦横の中桟５ｅ，５ｆとからなる。
【００１３】
両幅木取付金具３，４は、図３〜図５から分かるように、幅木本体２の上辺側両端部にリベットｒで固着されている取付片１３，１４に、夫々枢軸としてのボルト１６，１６によって枢着され、両枢着部は鋼管製の連結フレーム１７により連結されている。
【００１４】
前記固定手段６は、図３及び図５に示すように、両幅木取付金具３，４のうちの一方の幅木取付金具３に固着されていて、安全手摺５の左右縦枠５ａ，５ｂの一方の縦枠５ａに嵌合される平面視コ字形の嵌合部材１８と、他方の幅木取付金具４に設けられていて、他方の縦枠５ｂを掴持するクランプ１９とからなる。
【００１５】
クランプ１９は、図６の(a) 〜(d) に示すように、安全手摺５の左右縦枠５ａ，５ｂのうちの他方の縦枠５ｂの周面部を受ける受け金具２０と、この受け金具２０に一端部２１ａが枢軸２２で枢着されたロックレバー２１と、このロックレバー２１の長手方向中間部に基端部が枢軸２３で枢着されていて、受け金具２０により受けられる周面部と反対側の周面部にフック部２４ａが係嵌される係止フック２４とによって構成され、係止フック２４は板バネからなる。受け金具２０は、幅木取付金具４に固着される垂直部片２０ａと、ロックレバー２１の一端部２１ａが枢着される水平部片２０ｂとからなるもので、垂直部片２０ａの一端側と水平部片２０ｂの一端縁部とで縦枠５ｂの周面部を受けるようになっていて、水平部片２０ｂの一端縁には円弧状の係合部２０ｏが形成されている。また、ロックレバー２１の他端部には把手２１ｂが突設されている。
【００１６】
このクランプ１９の作用について説明すると、図６の(a) はクランプ１９の非使用時の状態、つまり梱包時の状態を示し、この状態で、係止フック２４が安全手摺５の縦枠５ｂを掴持し得る閉鎖位置にあり、ロックレバー２１は、受け金具２０の垂直部片２０ａと平行状態に位置して、係止フック２４を閉鎖位置にロックした状態にある。そして、(a) の状態にあるロックレバー２１を同図の矢印方向に回すと、板バネからなる係止フック２４のロック状態が解除されるから、その解除後に係止フック２４のフック部２４ａ側を(b) の実線図示、更には仮想線図示のように回しながら、ロックレバー２１の把手２１ｂ側を(b) の矢印方向に引っ張ることによって、係止フック２４が開放状態となる。
【００１７】
しかして、安全手摺５の縦枠５ｂを掴持する時は、図６の(b) に示す状態からロックレバー２１の把手２１ｂを同図に示す矢印と反対方向に引き起こして、ロックレバー２１を(c) の矢印で示すように回しながら係止フック２４を前方へ倒して(c) に示す状態とすれば、係止フック２４はフック部２４ａが縦枠５ｂを掴持し得る状態となるので、この状態からロックレバー２１を(c) の矢印方向と反対方向に回して、(d) に示す状態とすることにより、縦枠５ｂを、係止フック２４のフック部２４ａのバネ作用により弾性的に掴持固定する、即ちロックすることができる。このクランプ１９による縦枠５ｂの掴持を解除する時は、上記した掴持操作の逆の操作を行なえばよい。
【００１８】
次に、角度姿勢保持手段８について説明すると、この角度姿勢保持手段８は、安全手摺５の左右縦枠５ａ，５ｂに幅木取付金具３，４及び固定手段を介して上下動可能で揺動可能に取り付けた幅木本体２を、図８の(a) 〜(c) に示すようにサイズの異なる建枠１２に架け渡される足場板７の何れに対しても当該幅木本体２の下端縁部２ａが足場板７の桁側端部上面に載置するように、所要の角度姿勢に保持する手段であって、幅木本体２の上辺側にその長手方向スライド可能に支持されたロッド２５と、両幅木取付金具３，４の夫々近傍に位置するロッド２５の両端部に夫々Ｌ字形に突設された両側一対の係止ピン２６，２７と、両係止ピン２６，２７と対向する両幅木取付金具３，４に設けられた夫々複数の角度変更用ピン孔ａ，ｂ，ｃ（図４参照）と、各係止ピン２６，２７の先端部２６ｏ，２７ｏが各幅木取付金具３，４のピン孔ａ，ｂ，ｃに突入するようにロッド２５を一方向に付勢するロッド付勢用コイルバネ２８と、からなる。ロッド２５は、図３及び図５に示すように、幅木本体２の上辺側両端部に固着された取付片１３，１４を貫通してスライド可能に支持され、そしてこのロッド２５の一端側にロッド付勢用コイルバネ２８が嵌装されてナット４１で適度に締め付けることにより、ロッド２５に一方向の付勢力を与えるようになっている。尚、各係止ピン２６，２７の先端部２６ｏ，２７ｏを各幅木取付金具３，４のピン孔ａ，ｂ，ｃの所要のピン孔に突入させる時は、ロッド２５をコイルバネ２８の付勢力に抗して引っ張ればよい。
【００１９】
各幅木取付金具３，４に設けてあるピン孔ａ，ｂ，ｃのうちのピン孔ａは、図７の(a) 及び図８の(a) に示すように幅木本体２を足場板７の上面に対しθ１（例えば直角９０°）の姿勢に保持するように各係止ピン２６，２７の先端部２６ａ，２７ｂを突入させる孔であり、ピン孔ｂは、図７の(b) 及び図８の(b) に示すように幅木本体２を足場板７の上面に対しθ２（例えば８０°）の傾斜姿勢に保持するように各係止ピン２６，２７の先端部２６ａ，２７ｂを突入させる孔であり、ピン孔ｃは、図７の(c) 及び図８の(c) に示すように幅木本体２を足場板７の上面に対しθ３（例えば６３°）の傾斜姿勢に保持するように各係止ピン２６，２７の先端部２６ａ，２７ｂを突入させる孔である。
【００２０】
更に、安全手摺５を隣り合う建枠１２，１２の対向する脚柱９，９に取り付けるための取付手段１５について説明すると、この取付手段１５は、図１の(a) に示すように、安全手摺５の左右各縦枠５ａ，５ｂの中間部に取り付けられ、建枠１２の横架材１０に掛止される位置決め用のフック３０と、安全手摺５の各縦枠５ａ，５ｂの下端部に取り付けられ、安全手摺５を建枠１２の脚柱９の上部側に固定する上部固定金具５０と、同安全手摺５を上段側建枠１２の脚柱９の下部側に固定する下部固定金具４０とにより構成される。
【００２１】
取付手段１５の位置決め用フック３０は、図９の(a) 〜(d) に示すように、縦枠５ａ，５ｂに取り付けられた取付アーム３０ａの先端部下側に、建枠１２の横架材１０に上方より嵌合掛止するフック部３０ｂを有し、また取付アーム３０ａの先端部上側には、安全手摺５の取り付け又は取り外し時にこの安全手摺５を逆様にした状態で建枠１２の横架材１０に嵌合係止するフック部３０ｃが形成されている。
【００２２】
下部固定金具４０と上部固定金具５０とは同じ構造であり、その詳細を図１０〜図１２に示す。図１０は固定金具４０，５０が固定位置にある時の正面図であり、図１１は平面図である。図８１２は固定金具４０，５０が収納位置にある時の正面図である。
【００２３】
図１０〜図１２を参照すると、各固定金具４０，５０は、安全手摺５の縦枠５ａ，５ｂに固着された取付部材３６と、建枠１２の脚柱９に係脱自在に係合する脚柱係合部３７を一端部に有し、この脚柱係合部３７が脚柱９に係合する固定位置と脚柱係合部３７が脚柱９から離脱して安全手摺５の縦枠５ａ，５ｂに沿うように折り畳み収納される収納位置との間で回動可能に取付部材３６に枢軸４８によって枢着された回動部材３８と、この回動部材３８を固定位置及び収納位置にロックするロック手段３９とによって構成される。回動部材３８の他端部、即ち脚柱係合部３７と反対側の端部には、固定位置において安全手摺５の縦枠５ａ，５ｂに係合し、収納位置において縦枠５ａ，５ｂから離脱する縦枠係合部４５が設けてある。
【００２４】
各固定金具４０，５０のロック手段３９は、取付部材３６と回動部材３８との互いの摺接面部の一方側に係合突片４１をバネ６０によって他方の摺接面部側に弾接するように設けると共に、他方の摺接面部側に、回動部材３８が回動して固定位置及び収納位置に来た時に係合突片４１が係合して回動部材３８を固定位置及び収納位置に夫々ロックする固定位置用ロック孔４２Ａと収納位置用ロック孔４２Ｂとを設けたものからなる。
【００２５】
回動部材３８を図１２に示す収納位置から９０°回動させることにより、回動部材３８の脚柱係合部３７が建枠１２の脚柱９に係合すると同時に、縦枠係合部４５が安全手摺５の縦枠５ａ，５ｂに係合し、同時にまた係合突片４１の先端半球状部分が回動部材３８の固定位置用ロック孔４２Ａに係合し、これにより回動部材３８は収納位置から固定位置に位置変更されると同時に固定位置にロックされて、図１０に示す状態となる。
【００２６】
上述のように構成される幅木１は、幅木本体２の上辺側両端部にある幅木取付金具３，４を、固定手段６を介して安全手摺５の左右縦枠５ａ，５ｂに取り付けておく。この状態で、幅木１は、左右縦枠５ａ，５ｂに取り付けられた幅木取付金具３，４を介して揺動可能となっている。しかして、枠組足場の組み立てにあたって、隣り合う建枠１２，１２の対向する脚柱９，９間に安全手摺５を設置する時に、建枠１２，１２の対向する横架材１０，１０に架け渡された足場板７の桁側端部に形成される隙間幅に応じて、幅木本体２の下端縁部２ａが足場板７の桁側端部上面に載置するように、縦枠５ａ，５ｂに対する幅木取付金具３，４の取付高さを調整しながら幅木本体２を角度姿勢保持手段８によって所要の角度姿勢に保持する。
【００２７】
図８の(a) 〜(c) は、建枠１２の枠幅及び足場板７の板幅が異なることにより、その建枠１２に架け渡される足場板７の桁側端部に異なった隙間幅ができることを示すもので、(a) は狭い枠幅Ｗ１（６１０ｍｍ）の建枠１２を使用する場合、(b) はやや広い枠幅Ｗ２（９１４ｍｍ）の建枠１２を使用する場合、(c) は広い枠幅Ｗ１（１２１９ｍｍ）の建枠１２を使用する場合であり、(a) の建枠１２の場合は、板幅５００ｍｍの足場板７Ａが使用されるため、この足場板７Ａの桁側端部に形成される隙間幅Ｓ１は約５０ｍｍとなる。(b) の建枠１２の場合には、板幅５００ｍｍの足場板７Ａと板幅２４０ｍｍの足場板７Ｂの２枚が使用されるため、この足場板７Ａ，７Ｂの桁側端部に形成される隙間幅Ｓ２は約８５ｍｍとなる。また、(c) の建枠１２の場合には、板幅５００ｍｍの足場板７Ａを２枚使用すると、この２枚の足場板７Ａ，７Ａの桁側端部に形成される隙間幅Ｓ３は約１４０ｍｍと、最も広くなる。
【００２８】
上述した本発明に係る幅木１は、上記のように使用する建枠１２及び足場板７のサイズによって足場板７の桁側端部に夫々違った隙間幅Ｓ１，Ｓ２，Ｓ３が形成される場合も、そのような隙間幅Ｓ１，Ｓ２，Ｓ３をカバーすることができるものである。
【００２９】
図８の(a) の例を詳細に示したものが図７の(a) である。この図７の(a) は足場板７の桁側端部に形成される隙間幅が最も狭いＳ１の場合で、先ず、安全手摺５の左右縦枠５ａ，５ｂに対する幅木本体２の幅木取付金具３，４の取付位置を確認しながら、幅木本体２の下端縁部２ａを足場板７の桁側端部上面に載置し、この状態で幅木取付金具３，４を固定手段６によって左右縦枠５ａ，５ｂの所要高さ位置に保持すると共に、角度姿勢保持手段８によって幅木本体２を所要角度姿勢に保持する。この場合、角度姿勢保持手段８の係止ピン２６，２７の先端部２６ａ，２７ｂを、各幅木取付金具３，４のピン孔ａに突入させることにより、幅木本体２は、足場板７上面に対する角度θ１が例えば直角９０°の姿勢に保持される。
【００３０】
図７の(b) は図８の(b) の例を詳細に示したもので、足場板７の桁側端部に形成される隙間幅がやや広くなったＳ２の場合であって、幅木本体２の下端縁部２ａを足場板７の桁側端部上面に載置した状態で幅木取付金具３，４を固定手段６によって左右縦枠５ａ，５ｂの所要高さ位置に保持すると共に、幅木本体２を足場板７上面に対する角度θ２の傾斜姿勢に保持する。この場合、角度姿勢保持手段８の係止ピン２６，２７の先端部２６ａ，２７ｂを、各幅木取付金具３，４のピン孔ｂに突入させることによって、幅木本体２の傾斜角度θ２は例えば８０°である。
【００３１】
図７の(c) は図８の(c) の例を詳細に示したもので、足場板７の桁側端部に形成される隙間幅が最も広くなったＳ３の場合であって、幅木本体２の下端縁部２ａを足場板７の桁側端部上面に載置した状態で幅木取付金具３，４を固定手段６によって左右縦枠５ａ，５ｂの所要高さ位置に固定すると共に、幅木本体２を足場板７上面に対する角度θ３の傾斜姿勢に保持する。この場合、角度姿勢保持手段８の係止ピン２６，２７の先端部２６ａ，２７ｂを、各幅木取付金具３，４のピン孔ｃに突入させることによって、幅木本体２の傾斜角度θ３は例えば６３°である。
【００３２】
以上説明した実施形態の幅木１によれば、安全手摺５の左右縦枠５ａ，５ｂに対する幅木本体２の取付角度を可変としたことにより、建枠１２のサイズにより、安建枠１２に架け渡される足場板７の板幅が異なって足場板７の桁側端部に異なった幅の隙間ができる場合に、その隙間幅に応じて幅木本体２の取付角度を変えることによって、幅木本体２の下端縁部２ａを常に足場板７の桁側端部上面に載置させることができ、それにより幅木１としての機能を有効に発揮させることができる。
【００３３】
また、この幅木１によれば、固定手段６は、一方の幅木取付金具３に設けてあって、左右縦枠５ａ，５ｂの一方の縦枠５ａに沿って支持案内されるガイド部材１８と、他方の幅木取付金具４に設けられて、他方の縦枠５ｂを掴持するクランプ１９とから構成され、クランプ１９は、他方の縦枠５ｂの周面部を受ける受け金具２０と、受け金具２０に一端部が枢着されたロックレバー２１と、ロックレバー２１の中間部に基端部が枢着されていて、受け金具２０で受けられる前記周面部と反対側の周面部に係嵌される板バネからなる係止フック２４とから構成されていて、ロックレバー２１を一方向に回動して係止フック２４を縦枠５ｂに係嵌させた後、ロックレバー２１を他方向に回動させることによって係止フック２４を係嵌状態にロックするようにしたから、幅木取付金具３，４を安全手摺５の左右縦枠５ａ，５ｂの所要高さ位置に簡単容易に固定することができる。
【００３４】
また、この幅木１においては、角度姿勢保持手段８は、幅木本体２の上辺側にスライド可能に支持されたロッド２５と、このロッド２５の両端部に夫々Ｌ字形に突設された両側一対の係止ピン２６，２７と、両係止ピン２６，２７と対向する両幅木取付金具３，４に設けられた夫々３つの角度変更用ピン孔ａ，ｂ，ｃと、各係止ピン２６，２７の先端部２６ｏ，２７ｏが各幅木取付金具３，４のピン孔ａ，ｂ，ｃに突入するようにロッド２５を一方向に付勢するバネ２８とからなるもので、構造が簡単にして部品点数も少ないため、幅木本体２の取付操作が簡単で、幅木本体２を所要角度に確実に保持できると共に、製作が容易となる。尚、この実施形態では、各幅木取付金具３，４には３つの角度変更用ピン孔ａ，ｂ，ｃを設けているが、角度変更用ピン孔の数は２つ以上、いくつでも設けることができる。
【図面の簡単な説明】
【００３５】
【図１】(a) は幅木全体の取付状態を示す正面図、(b) は側面図である。
【図２】図１の(a) に示す幅木全体の平面図である。
【図３】図１の(a) の要部拡大図である。
【図４】図１の(b) の要部拡大図である。
【図５】図２の要部拡大図である。
【図６】(a) 〜(d) は固定手段のクランプの使用方法を示す説明図である。
【図７】(a) 〜(c) は幅木の使用形態を示す説明図である。
【図８】(a) 〜(c) はサイズの異なる３種類の建枠を示す説明図である。
【図９】(a) ，(b) は安全手摺の左右縦枠に設けられる位置決め用フックを示す夫々正面図、(c) ，(d) は(a) ，(b) に示す位置決め用フックの夫々平面図である。
【図１０】固定位置にある上下各固定金具の拡大正面図である。
【図１１】固定位置にある上下各固定金具の拡大平面図である。
【図１２】収納位置にある上下各固定金具の拡大正面図である。
【符号の説明】
【００３６】
１            幅木
２            幅木本体
２ａ          幅木本体の下端縁部
３，４        幅木取付金具
５            安全手摺
５ａ，５ｂ    安全手摺の縦枠
６            固定手段
７            足場板
８            角度姿勢保持手段
９            建枠の脚柱
１０          建枠の横架材
１２          建枠
【図１】
0005121558.tif 000002
【図２】
0005121558.tif 000003
【図３】
0005121558.tif 000004
【図４】
0005121558.tif 000005
【図５】
0005121558.tif 000006
【図６】
0005121558.tif 000007
【図７】
0005121558.tif 000008
【図８】
0005121558.tif 000009
【図９】
0005121558.tif 000010
【図１０】
0005121558.tif 000011
【図１１】
0005121558.tif 000012
【図１２】
0005121558.tif 000013